(57)【要約】      （修正有）【課題】防曇機能を有する蓋装置及びこの蓋装置を備える加熱装置を提供する。【解決手段】防曇機能を有する蓋装置１は、蓋１０及び防曇層２０を備える。防曇層２０は蓋１０に内設され、且つ防曇層２０が透明なガラス構造であり、且つ一面に金属導電膜を有し、金属導電膜に金属導線が接続され、金属導線により通電された後に温度が上昇する。防曇層２０は通電方式により加熱され、防曇層２０の表面が通電されることにより加熱されて温度が上昇し、防曇層２０が所定の高温を生じさせるか、あるいは所定の高温に保たれる。高温の蒸気が温度が上昇した防曇層２０に触れても、曇りが発生しないため、蓋１０のウィンドウ部１１の透明度が維持され、可視性が高まる。【選択図】図１
0003214518.tif 000002
【実用新案登録請求の範囲】
【請求項１】
蓋と、
前記蓋に内設され、通電されることにより加熱されて温度が上昇する防曇層とを備えることを特徴とする防曇機能を有する蓋装置。
【請求項２】
前記防曇層の表面は透明導電構造であることを特徴とする請求項１に記載の防曇機能を有する蓋装置。
【請求項３】
前記蓋はウィンドウ部及び周囲部を備え、前記ウィンドウ部は透明構造であり、前記ウィンドウ部の周縁には前記周囲部が設けられることを特徴とする請求項１に記載の防曇機能を有する蓋装置。
【請求項４】
前記蓋の前記周囲部の前端に連接されるハンドル構造を更に備え、前記ハンドル構造はガスを流通させることが可能な開口部を含むことを特徴とする請求項３に記載の防曇機能を有する蓋装置。
【請求項５】
前記ハンドル構造は前記周囲部の前端から延伸されることにより形成されるフラット部材を備え、前記開口部は前記フラット部材に設けられることを特徴とする請求項４に記載の防曇機能を有する蓋装置。
【請求項６】
前記ハンドル構造は第一フラット部材及び第二フラット部材を備え、前記第一フラット部材及び前記第二フラット部材は前記フラット部材の対応し合う両側にそれぞれ位置され、前記第一フラット部材及び前記第二フラット部材は前記開口部の一側にそれぞれ連接されることを特徴とする請求項５に記載の防曇機能を有する蓋装置。
【請求項７】
前記第一フラット部材は前記開口部に対して斜めに配置されることを特徴とする請求項６に記載の防曇機能を有する蓋装置。
【請求項８】
前記第二フラット部材は前記開口部に対して垂直に配置されることを特徴とする請求項６に記載の防曇機能を有する蓋装置。
【請求項９】
前記蓋は前記周囲部と前記ウィンドウ部との間に位置される溝部を更に備え、前記防曇層は前記溝部に固定されることを特徴とする請求項３に記載の防曇機能を有する蓋装置。
【請求項１０】
前記防曇層は前記溝部に緊密に貼着される防水構造を備えることを特徴とする請求項９に記載の防曇機能を有する蓋装置。
【請求項１１】
前記蓋は前記周囲部に設置される複数のガスケットを更に備えることを特徴とする請求項３に記載の防曇機能を有する蓋装置。
【請求項１２】
加熱用ボックスと、
前記加熱用ボックス内に収納され、前記加熱用ボックスは食材に必要な熱エネルギーを提供するために用いられる食材収納部と、
前記食材収納部の上に設置される請求項１乃至１１に記載の防曇機能を有する蓋装置とを備えることを特徴とする加熱装置。
【考案の詳細な説明】
【技術分野】
【０００１】
本考案は、蓋装置及び加熱装置に関し、より詳しくは、防曇機能を有する蓋装置及び加熱装置に関する。
【背景技術】
【０００２】
蒸し器は蒸し器の内部に入れられた食材を蒸気で加熱するためのものであり、ごみが入るのを防止したり、蒸し器内の食材の温度を保持させるために、蒸し器には往々にして透明蓋が設置され、購入者や販売者が蒸し器内部に入れられた商品を観察可能にしている。あるいは、煮物を販売する際に、ごみが入るのを防止したり、鍋内の食材の温度を保つために、鍋にも透明蓋が設置され、購入者や販売者が鍋内に入れられた商品を観察可能にしている。
【考案の概要】
【考案が解決しようとする課題】
【０００３】
しかしながら、蒸し器内または鍋内の高温の水蒸気が低温の透明蓋に触れると、温度の違いの影響のためにすぐに凝結して小さな水滴となり、透明蓋に一層の曇りが形成され、購入者や販売者が透明蓋を通して蒸し器内部の食材を直接観察できなくなった。
【０００４】
市場によくある防曇、除曇方式として、親水化処理技術を利用し、防曇液を防曇したい物品の表面にスプレー塗装して防曇膜を形成させ、蒸気が物品の表面に凝結しにくくすることにより、蒸気が物品の表面に形成させる曇りを減少させる効果を達成させるものがある。この方式は光学分野で常用されており、例えば、カメラ、ゴーグル、望遠鏡のレンズ、レンズ等に応用されている。然しながら、実際の応用では、防曇膜は物品の表面に露出される時間が長くなるほど物品の表面から剥離しやすくなるため、使用者が定期的に防曇液をスプレー塗装しなければならず、使用上不便であった。また、このような化学方式で防曇を達成させる方法を上述の蒸し器に応用する場合、化学溶剤が食材に吸収される可能性があり、防曇の目的を達成させはするが、購入者が前記食材を購入する意欲は削がれた。
【０００５】
そこで、本考案者は上記の欠点が改善可能と考え、鋭意検討を重ねた結果、合理的設計で上記の課題を効果的に改善する本考案の提案に到った。
【０００６】
かかる従来の実情に鑑みて、本考案は、防曇機能を有する蓋装置を提供することを目的とする。すなわち、蓋を通して中を見やすくすることで、使用者が食材を目で確認しやすくする。
【０００７】
また、本考案は、加熱装置を提供することを目的とする。すなわち、防曇機能を有する蓋装置を設置させることにより防曇の目的を達成させ、且つ使用者が食材をはっきりと目で確認できるようにする。
【課題を解決するための手段】
【０００８】
上述した課題を解決し、目的を達成するために、本考案に係る防曇機能を有する蓋装置は、蓋及び防曇層を備える。防曇層は蓋に内設され、防曇層は通電されることにより加熱されて温度が上昇する。
【０００９】
なお、本考案に係る加熱装置は、加熱用ボックスと、食材収納部と、防曇機能を有する蓋装置とを備える。食材収納部は加熱用ボックス内に収納され、加熱用ボックスは食材に必要な熱エネルギーを提供するために用いられる。防曇機能を有する蓋装置は食材収納部の上に設置される。
【考案の効果】
【００１０】
上述したように、本考案の防曇機能を有する蓋装置及び加熱装置において、防曇層は蓋に内設され、防曇層が通電されることにより加熱され、防曇層全体の表面温度が上昇し、防曇層が生成されるか、あるいは一定の温度に保たれる。加熱用ボックスで発生した蒸気が防曇層の表面で曇りとなって結露するのを防止させるほか、加熱用ボックスで発生した蒸気が防曇層の表面を曇らせる状況の発生を更に防止させる。防曇層の防曇効果により、蓋の透明度を維持させ、可視性を向上させることにより、使用者が食材をはっきりと目視により確認可能にする目的を達成させる。
【図面の簡単な説明】
【００１１】
【図１】本考案の一実施形態に係る防曇機能を有する蓋装置を示す分解図である。
【図２】本考案の他の実施形態に係る防曇機能を有する蓋装置を示す概略図である。
【図３】図２の防曇機能を有する蓋装置を示す分解図である。
【図４】図２の防曇機能を有する蓋装置を他の角度から見た分解図である。
【図５】本考案の一実施形態に係る加熱装置を示す概略図である。
【図６】図５の蓋が開かれた概略図である。
【図７】図５の加熱装置の側面を示す概略図である。
【図８】図２の蓋の断面を示す概略図である。
【考案を実施するための形態】
【００１２】
以下に図面を参照して、本考案を実施するための形態について、詳細に説明する。なお、本考案は、以下に説明する実施形態に限定されるものではない。
【実施形態】
【００１３】
図１は本考案の一実施形態に係る防曇機能を有する蓋装置を示す分解図である。本実施形態において、防曇機能を有する蓋装置１は、蓋１０及び防曇層２０を備える。蓋１０は、ウィンドウ部１１と、周囲部１２と、複数の接合部１３と、複数のガスケット１４とを含む。ウィンドウ部１１の周縁には周囲部１２が設けられ、本実施形態においては、周囲部１２は中空の板体であり、ウィンドウ部１１は周囲部１２から突出する透明構造の蓋である。周囲部１２には接合部１３が設けられ、接合部１３は他の部材を接合させるために用いられる。ガスケット１４は周囲部１２の底側に設置される。
【００１４】
防曇層２０は蓋１０に内設され、且つ防曇層２０の表面は透明導電構造である。すなわち、防曇層２０は透明構造であり、防曇層２０の一面は導電性である。
【００１５】
更に詳しくは、例えば、防曇層２０が透明なガラス構造であり、且つ一面に金属導電膜を有し、金属導電膜に金属導線が接続され、金属導線により通電された後に温度が上昇する。換言すれば、防曇層２０は通電方式により加熱され、防曇層２０の表面が通電されることにより加熱されて温度が上昇し、防曇層２０が所定の高温を生じさせるか、あるいは所定の高温に保たれる。高温の蒸気が温度が上昇した防曇層２０に触れても、高温の蒸気が凝結されて小さな水滴になることはなく、曇りが発生しないため、防曇の目的を達成させる。また、防曇層２０の防曇効果により、蓋１０のウィンドウ部１１に曇りが発生しなくなり、蓋１０のウィンドウ部１１の透明度が維持され、可視性が高まる。
【００１６】
図２は本考案の他の実施形態に係る防曇機能を有する蓋装置を示す概略図であり、図３は図２の防曇機能を有する蓋装置を示す分解図であり、図４は図２の防曇機能を有する蓋装置を他の角度から見た分解図である。ちなみに、図２乃至図４の防曇機能を有する蓋装置２は図１の防曇機能を有する蓋装置１に相似する。また、同じ部材は同じ符号で表示し、且つ同じ効果を有する部材については重複して説明せず、以下では差異の存在する箇所についてのみ説明する。
【００１７】
本実施形態において、防曇機能を有する蓋装置２は、蓋１０及び防曇層２０を備える。蓋１０は、ウィンドウ部１１と、周囲部１２と、複数の接合部１３と、複数のガスケット１４と、ハンドル構造１５とを含む。
【００１８】
ハンドル構造１５は蓋１０の周囲部１２の前端に連接され、ハンドル構造１５はフラット部材１５１と、第一フラット部材１５２と、第二フラット部材１５３と、開口部１５４とを備える。フラット部材１５１は周囲部１２の前端から延伸されることにより形成され、開口部１５４はフラット部材１５１に設けられ、開口部１５４はガスを流通させることが可能である。第一フラット部材１５２及び第二フラット部材１５３はフラット部材１５１の対応し合う両側にそれぞれ位置され、且つ第一フラット部材１５２及び第二フラット部材１５３は開口部１５４の一側にそれぞれ連接される。第一フラット部材１５２は開口部１５４に対して斜めに配置され、第二フラット部材１５３は開口部に対して垂直に配置される。
【００１９】
また、本実施形態に係る蓋１０は周囲部１２とウィンドウ部１１との間に位置される溝部１６を更に備え、溝部１６は周囲部１２とウィンドウ部１１との間に形成される凹溝構造である。
【００２０】
防曇層２０は防水構造２２を備える。例えば、防水構造２２はシリコーンであり、防曇層２０の表面の周縁に位置される。防曇層２０は溝部１６に固定され、防水構造２２は溝部１６に緊密に貼着される。これにより、防曇層２０と蓋１０との間の緊密度が増し、蒸気または加熱されたガスが防曇層２０の周縁から蓋１０のウィンドウ部１１内に進入しないようになる。
【００２１】
図５は本考案の一実施形態に係る加熱装置を示す概略図であり、図６は図５の蓋が開かれた概略図であり、図７は図５の加熱装置の側面を示す概略図であり、図８は図２の蓋の断面を示す概略図である。ちなみに、図５乃至図８の蓋１０及び防曇層２０は図１乃至図４の蓋１０及び防曇層２０と相似する。同じ部材については同じ符号で表示し、且つ同じ効果を有する部材については重複して説明せず、以下では差異の存在する箇所についてのみ説明する。
【００２２】
本実施形態において、加熱装置３は、加熱用ボックス３１と、ピボット部３２と、蓋１０と、防曇層２０と、食材収納部３３とを備える。
【００２３】
加熱用ボックス３１は食材を加熱するのに必要な熱気を提供するために用いられる。例えば、食材の蒸し焼きに必要な蒸気を提供する。例えば、加熱用ボックス３１は窯であり、おでんの加熱用ボックス、まんじゅう蒸し器等の設備に使用され、水槽、加熱器、温度調整器、表示器等の部材を少なくとも備え、加熱用ボックス３１は水槽内の水が加熱されることにより蒸気を発生させて食材の加熱を行う。
【００２４】
食材収納部３３は加熱用ボックス３１内に収納され、食材収納部３３は複数のラック３３２を備え、加熱用ボックスの形態として対応する食材がラック３３２内に置かれ、加熱用ボックス３１により提供される蒸気により食材の蒸し焼きが行われる。
【００２５】
ピボット部３２は加熱用ボックス３１の一側に連接される。ここでは、ピボット部３２の形態に制限はない。
【００２６】
本実施形態では、図２乃至図４に示す防曇機能を有する蓋装置２が食材収納部３３の上に設置され、他の実施形態においては、図１に示す防曇機能を有する蓋装置１が食材収納部３３の上に設置される。更に詳しくは、蓋１０の接合部１３はピボット部３２に接合され、蓋１０を加熱用ボックス３１に対して開かれた位置（図６参照）と閉められた位置（図５または図７参照）との間で回転させ、蓋１０が食材収納部３３の上に被せられる。本実施形態では、例えば、蓋１０はフルカバー式の蓋であるが、機台として蓋の形態を改変可能である。
【００２７】
ガスケット１４は周囲部１２に設置され、蓋１０が閉められた位置（図５または図７参照）にある場合、ガスケット１４が設置されることによって蓋１０が食材収納部３３に直接接触しなくなり、緩衝効果が達成される。本実施形態において、周囲部１３２及び食材収納部３３は間隔Ｄを有するため、通気性が向上し、食材収納部３３の内部の蒸気により高圧が生じることはない。
【００２８】
このような配置により、防曇層２０が通電方式で加熱され、防曇層２０の表面が通電されることにより加熱されて温度が上昇し、防曇層２０が所定の高温を発生させるか、所定の高温に保たれる。高温の蒸気温度が上昇した防曇層２０に触れても、高温の蒸気が凝結して小さな水滴になることはなく、曇りも発生せず、防曇の目的を達成させる。また、防曇層２０の防曇効果により、蓋１０のウィンドウ部１１が曇ることがなくなり、蓋１０のウィンドウ部１１の透明度が維持され、可視性が向上し、使用者が食材をはっきりと目で確認可能にする目的を達成させる。
【００２９】
また、本実施形態において、加熱装置３の蓋１０はフルカバー式の蓋であるため、食材収納部３３内部の圧力が高まり、蓋１０が起き上がると、蒸気は通常面積が大きく圧力が小さい方へと放出される。このため、使用者が蓋１０を開いた際、蒸気が直接使用者へ向かって放出される。よって、本実施形態（図８参照）では、蓋１０の周囲部１２の前端にハンドル構造１５が連接される。ハンドル構造１５は開口部１５４を有するため、蓋１０が起き上がった瞬間に、食材収納部３３の内部の部分的な蒸気Ｇが第一時間に開口部１５４から導出される。蓋１０が起き上がった後、食材収納部３３の内部の圧力が解放され、内部の蒸気Ｇに外部の空気が混ざることにより、温度が低下する。また、第一フラット部材１５２は開口部１５４に対して斜めに配置されるため、蒸気Ｇが第一フラット部材１５２の構造に沿って外部に導流される。第二フラット部材１５３が開口部に対して垂直に配置されるため、フラット部材１５１の方向に流動する蒸気Ｇが遮断される。このため、フラット部材１５１が高温の蒸気Ｇ（または熱気）の影響を受けて温度が上昇することはない。また、蓋１０が開いた瞬間に使用者に向かってくる蒸気Ｇが遮断されるため、フラット部材１５１は使用者が火傷せずに把持することができ、且つ蒸気Ｇが遮断されるため、蒸気で火傷を負うことがなくなる。
【００３０】
総合すると、本考案に係る防曇機能を有する蓋装置及び加熱装置において、防曇層は蓋に内設され、防曇層は通電されることにより加熱され、防曇層全体の表面温度が上昇し、防曇層が所定の高温を発生させるか、あるいは所定の高温に保たれる。加熱用ボックスで発生した蒸気が防曇層の表面を曇らせたり、結露することがなくなるため、加熱用ボックスで発生した蒸気が防曇層の表面を曇らせる状況が防止される。防曇層の防曇効果により、蓋の透明度が維持され、可視性が向上し、使用者が食材をはっきりと目視により確認可能にする目的を達成させる。
【００３１】
さらに、親水化処理技術を利用したスプレー塗装方式に対して、本考案では通電方式を採用して防曇層全体の表面温度を上昇させるため、元々加熱されている食材に影響はなく、使用者の購買意欲も高まる。
【００３２】
また、本考案は防曇層の周縁に防水構造が設置されるため、防曇層と蓋との間の緊密度が高まり、蒸気が防曇層の周縁から蓋に進入しなくなり、蓋の防湿除曇の目的を更に達成させる。
【００３３】
なお、本考案に係る蓋の前端にはハンドル構造が連接され、蓋が起き上がった瞬間に、蒸気が開口部から導出されるようになり、導熱及び冷却の目的が達成される。さらには、第一フラット部材は開口部に対して斜めに配置されるため、蒸気が第一フラット部材の構造に沿って外部に導流される。第二フラット部材は開口部に対して垂直に配置されるため、フラット部材の方向に流動する蒸気が遮断される。このため、フラット部材が高温の蒸気（または熱気）の影響を受けて温度が上昇することはない。また、蓋が起き上がった瞬間に使用者に向けて放出される蒸気が遮断されるため、フラット部材は使用者が火傷せずに把持可能であり、且つ蒸気が遮断されるため、蒸気で火傷を負うことがなくなる。
【００３４】
以上、本考案の実施形態について図面を参照して詳述したが、具体的な構成はこの実施形態に限られるものではなく、本考案の要旨を逸脱しない範囲の設計変更等も含まれる。
【符号の説明】
【００３５】
１  防曇機能を有する蓋装置
２  防曇機能を有する蓋装置
１０  蓋
１１  ウィンドウ部
１２  周囲部
１３  接合部
１４  ガスケット
１５  ハンドル構造
１５１  フラット部材
１５２  第一フラット部材
１５３  第二フラット部材
１５４  開口部
１６  溝部
２０  防曇層
２２  防水構造
３  加熱装置
３１  加熱用ボックス
３２  ピボット部
３３  食材収納部
３３２  ラック
Ｄ  間隔
【図１】
0003214518.tif 000003
【図２】
0003214518.tif 000004
【図３】
0003214518.tif 000005
【図４】
0003214518.tif 000006
【図５】
0003214518.tif 000007
【図６】
0003214518.tif 000008
【図７】
0003214518.tif 000009
【図８】
0003214518.tif 000010